(57)【要約】【課題】本発明は、利用者が表示部に表示された体重を視認し易いと共に、他人に、かかる情報が知られるのを未然に防ぐことができる体重表示装置等を提供すること。【解決手段】対象者の体重情報を表示する表示部１０を備え、表示部は、体重情報を観察者が識別できない潜在的表示情報として表示する構成となっていると共に、この表示部の潜在的表示情報を観察者が識別できる表示顕在化情報として表示させることができる表示顕在化部２１を有することを特徴とする体重表示装置１。【選択図】図１
2013156078.tif 000002
【特許請求の範囲】
【請求項１】
対象者の体重情報を表示する表示部を備える体重表示装置であって、
前記表示部は、前記体重情報を観察者が識別できない潜在的表示情報として表示する構成となっていると共に、この表示部の前記潜在的表示情報を観察者が識別できる表示顕在化情報として表示させることができる表示顕在化部を有することを特徴とする体重表示装置。
【請求項２】
前記表示部が、光源と、前記体重情報を光によって表示する体重情報表示部と、前記光源と前記体重情報表示部との間に配置され液晶が収容される液晶収容部と、前記液晶収容部の前記光源側に配置され前記液晶収容部の液晶分子を一定の配置方向に導く第１液晶配置規定部と、前記液晶収容部の体重情報表示部側に配置され、前記液晶分子を前記第１液晶配置規定部と異なる配置方向に導く第２液晶配置規定部と、
一部の前記液晶分子の配置方向を変更させ、異なる配置方向の前記液晶分子を混在させる電圧部と、を有し、
前記潜在的表示情報が、前記異なる配置方向が混在した液晶分子内を通過する光により表示される前記体重情報であり、
前記表示顕在化部が、前記第１液晶配置部又は前記第２液晶配置規定部と同様の方向の光を遮断する偏光部で形成されていることを特徴とする請求項１に記載の体重測定装置。
【請求項３】
前記表示顕在化部が、対象者の装着する眼鏡部に形成されることを特徴とする請求項２に記載の体重測定装置。
【請求項４】
前記潜在的表示情報が、赤外線により表示される前記体重情報であり、前記表示顕在化部が、赤外線を検知し、この赤外線で表示されている前記体重情報を表示顕在化情報として表示することができる構成となっていることを特徴とする請求項１に記載の体重表示装置。
【請求項５】
前記表示顕在化部が、光に対し感度が良好なＣＣＤ（Ｃｈａｒｇｅ  Ｃｏｕｐｌｅｄ  Ｄｅｖｉｃｅ）カメラであることを特徴とする請求項４に記載の体重表示装置。
【請求項６】
対象者の体重情報を表示する表示部を備える体重表示方法であって、
前記表示部は、前記体重情報を観察者が識別できない潜在的表示情報として表示する構成となっていると共に、表示顕在化部が、この表示部の前記潜在的表示情報を観察者が識別できる表示顕在化情報として表示させることを特徴とする体重表示方法。
【発明の詳細な説明】
【技術分野】
【０００１】
本発明は、例えば、対象者の体重を測定し、その値等を表示する体重表示装置及び体重表示方法に関するものである。
【背景技術】
【０００２】
従来より、比較的大きなディスプレイ（表示部）を備える体重計が提案されている（例えば、特許文献１）。
このような体重計は、利用者が測定した体重を比較的大きな画面に表示し、利用者に示すことができるので、利用者にとって測定した体重を見易い体重計となっている。
【先行技術文献】
【特許文献】
【０００３】
【特許文献１】特開２０１１―１９１２３４号公報（図１等）
【発明の概要】
【発明が解決しようとする課題】
【０００４】
しかし、このような比較的大きいサイズのディスプレイは、利用者にとって見易いと共に、その近傍に居る他人等にとっても見易いことを意味し、利用者にとって知られたくない体重を他人に知られるおそれが高いという問題があった。
【０００５】
そこで、本発明は、利用者が表示部に表示された体重を視認し易いと共に、他人に、かかる情報が知られるのを未然に防ぐことができる体重表示装置及び体重表示方法を提供することを目的とする。
【課題を解決するための手段】
【０００６】
上記目的は、本発明にあっては、対象者の体重情報を表示する表示部を備える体重表示装置であって、前記表示部は、前記体重情報を観察者が識別できない潜在的表示情報として表示する構成となっていると共に、この表示部の前記潜在的表示情報を観察者が識別できる表示顕在化情報として表示させることができる表示顕在化部を有することを特徴とする体重表示装置により達成される。
【０００７】
前記構成によれば、表示部の体重情報は、観察者が識別できない潜在的表示情報として表示されるので、体重表示装置の近傍等に所在の他人等に表示部を視認されても、対象者の体重情報を知られることがない。
一方、対象者は、表示顕在化部により、表示部の体重情報を表示顕在化情報として視認することができるので、自己の体重情報を他人等に知られることなく、取得することができる。
【０００８】
好ましくは、前記表示部が、光源と、前記体重情報を光によって表示する体重情報表示部と、前記光源と前記体重情報表示部との間に配置され液晶が収容される液晶収容部と、前記液晶収容部の前記光源側に配置され前記液晶収容部の液晶分子を一定の配置方向に導く第１液晶配置規定部と、前記液晶収容部の体重情報表示部側に配置され、前記液晶分子を前記第１液晶配置規定部と異なる配置方向に導く第２液晶配置規定部と、一部の前記液晶分子の配置方向を変更させ、異なる配置方向の前記液晶分子を混在させる電圧部と、を有し、前記潜在的表示情報が、前記異なる配置方向が混在した液晶分子内を通過する光により表示される前記体重情報であり、前記表示顕在化部が、前記第１液晶配置部又は前記第２液晶配置規定部と同様の方向の光を遮断する偏光部で形成されていることを特徴とする。
【０００９】
前記構成によれば、第１液晶配置規定部と第２液晶配置規定部との間の液晶分子は、これら向きの相違に対応して液晶収容部内の液晶分子は、ねじれた状態で配置される。
しかし、これら液晶分子の一部に電圧部から電圧が加わると、その電圧が加わった液晶分子だけが、例えば、その電界に沿った方向へ、その配置を変化させ、電圧が加わる前と比べ液晶分子の向きが変化し、異なる配置方向の液晶分子が混在することになる。
したがって、このように一部の液晶分子の向きが相違する場合、この液晶分子内を通過する光源の光の向きも液晶分子の向きと同様に相違し、これら向きの相違で体重情報（例えば、数字等）を体重情報表示部に表示することが可能となる。
しかし、この向きの相違する光からなる体重情報は、これは観察者等にはその向きの相違を認識できない潜在的表示情報となる。
したがって、表示部の近傍等に所在する他人等が体重情報表示部を視認しても、対象者の体重情報を認識することができず、他人等に対象者の体重情報が知られることを未然に防ぐことができる。
【００１０】
一方、前記構成では、表示顕在化部として、偏光部が備わっており、この偏光部で、体重情報表示部の向きの相違する光を区別し、選択的に光を遮断することで、体重情報を表示顕在化情報とすることができる。
したがって、表示顕在化部を介して、対象者等は、自己の体重情報を把握することができる。
【００１１】
好ましくは、前記表示顕在化部が、対象者の装着する眼鏡部に形成されることを特徴とする。
【００１２】
前記構成によれば、眼鏡部に表示顕在化部が配置されているので、対象者にとって取り扱い易い可視化部となる。
【００１３】
好ましくは、前記潜在的表示情報が、赤外線により表示される前記体重情報であり、前記表示顕在化部が、赤外線を検知し、この赤外線で表示されている前記体重情報を表示顕在化情報として表示することができる構成となっていることを特徴とする。
【００１４】
前記構成によれば、表示部には、体重情報が赤外線で潜在的表示情報として表示されるため、その近傍等に所在の他人等に、体重情報を知られることがない。
一方、対象者は、表示顕在化部の表示顕在化情報としての体重情報を視認することで、他人等に知られることなく、自己の体重情報を知ることができる。
【００１５】
好ましくは、前記表示顕在化部が、光に対し感度が良好なＣＣＤ（Ｃｈａｒｇｅ  Ｃｏｕｐｌｅｄ  Ｄｅｖｉｃｅ）カメラであることを特徴とする。
【００１６】
上記目的は、本発明にあっては、対象者の体重情報を表示する表示部を備える体重表示方法であって、前記表示部は、前記体重情報を観察者が識別できない潜在的表示情報として表示する構成となっていると共に、表示顕在化部が、この表示部の前記潜在的表示情報を観察者が識別できる表示顕在化情報として表示させることを特徴とする体重表示方法により達成される。
【発明の効果】
【００１７】
以上説明したように、本発明によれば、利用者が表示部に表示された体重を視認し易いと共に、他人に、かかる情報が知られるのを未然に防ぐことができる体重表示装置及び体重表示方法を提供することができる。
ができる。
【図面の簡単な説明】
【００１８】
【図１】体重表示装置である例えば、体重計を示す概略図である。
【図２】図１の体重計側ディスプレイの主な構成を示す概略分解図である。
【図３】眼鏡を示す概略図である。
【図４】本発明の第２の実施の形態を示す概略図である。
【発明を実施するための形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、体重表示装置である例えば、体重計１を示す概略図である。図１に示すように、体重計１は、体重測定を希望する対象者が乗り、その体重を測定する体重測定装置３を有している。また、体重計１は、対象者の体重を表示する表示部である例えば、体重計側ディスプレイ１０を有し、これら体重測定装置３と体重計測定ディスプレイ２０を接続するためのスタンド２も有している。
また、対象者は、自己の体重情報を視認するための眼鏡２０を図１に示すように装着している。
【００２１】
図２は、図１の体重計側ディスプレイ１０の主な構成を示す概略分解図である。
図２の体重計側ディスプレイ１０は、いわゆる「液晶ディスプレイ」に近似した構成となっているが、その表示画面を人が見ても、その表示内容を把握することができない構成となっている。以下、具体的に説明する。
先ず、体重計側ディスプレイ１０は、図２の奥側（左側）に配置される光源である例えば、バックライト１１から照射された光が手前側（右側）から外部に照射されることで、手前側に配置する体重情報表示部１７に、対象者等の観察者側に光が照射される構成となっている。
具体的には、図２のバックライト１１の手前側に、例えば、縦方向の光のみを透過させる「縦方向偏光フィルタ１２」が配置され、その手前には、液晶分子を一定の方向、例えば、縦方向に配置するように導く溝等が形成されている第１液晶配置規定部である例えば、「液晶縦方向配置溝付きガラス基板１３」が配置されている。
また、この「液晶縦方向配置溝付きガラス基板１３」の手前側には画素や図示しない電極等が配置されている「画素等配置部１４」が形成され、画素等配置部１４に形成されている各画素１４ａ等は、トランジスタ１４ｂを有し、このトランジスタ１４ｂによって通電させる画素を選択できる構成となっている。
【００２２】
また、この「画素等配置部１４」の手前側には液晶を収容する液晶収容部１５が配置され、その手前には、例えば、液晶縦方向配置溝付きガラス基板１３の液晶分子の配置方向である縦方向と異なる配置方向である例えば、横方向に配置するように導く溝等が形成されている第２液晶配置規定部である例えば、「液晶横方向配置溝付きガラス基板１６」が配置されている。
この「液晶横方向配置溝付きガラス基板１６」の手前側に「体重情報表示部１７」が配置され、対象者の体重情報が表示される。
そして、これら「液晶縦方向配置溝付きガラス基板１３」と「液晶横方向配置溝付きガラス基板１６」とで「液晶収容部１５」を挟み込むように形成されている。
これにより、液晶収容部１５内の液晶のうち、「液晶縦方向配置溝付きガラス基板１３」側の液晶分子は、この「液晶縦方向配置溝付きガラス基板１３」の縦方向の溝に沿って縦方向に配置されるが、他方、「液晶横方向配置溝付きガラス基板１６」側の液晶分子は、この「液晶横方向配置溝付きガラス基板１６」の横方向の溝に沿って横方向に配置されることになり、その中間の液晶分子はいわゆる「ねじれた」状態で配置される。
【００２３】
このように液晶分子がねじれた状態で、図２の体重計測側ディスプレイ１０のバックライト１１が、光を照射すると、その光は、先ず、縦方向偏光フィルタ１２で、縦方向の光のみが液晶縦方向配置溝付きガラス基板１３へ導かれ、この縦方向の光はそのまま縦方向の液晶分子の配置方向に沿って、液晶収容部１５へ導かれることになる。
液晶収容部１５内に導かれた光は、液晶分子の上述の「ねじれ」に沿って進み、「体重情報表示部１７」で表示されるときは、「横方向の光」となる。
【００２４】
しかし、これでは、すべての光が「横方向の光」の光となり、何らの情報も表示されないため、図２に示す「画像等配置部１４」が作用する。
すなわち、「液晶横方向配置溝付きガラス基板１６」から照射される「横方向の光」を一部「縦方向の光」等とすることで、「体重情報表示部１７」上で、異なる「方向の光」を表現する。例えば、数字の「１」を表現するときは、「１」を示す部分のみ「横方向の光」とし、他の部分を「縦方向の光」とする。
このように表現することで、「体重情報表示部１７」に数字の「１」を表示することができる。
【００２５】
具体的には、図２の画素１４ａ等のうち、数字の「１」以外の部分の画素１４ａ等にトランジスタ１４ｂ等を介して通電させる。これにより、通電した部分に対応する「液晶収容部１５」内の液晶分子の「ねじれ」が電界により解消され、「ねじれ」ることなく、「縦方向の光」として、「液晶横方向配置溝付きガラス基板１６」から照射され、「体重情報表示部１７」に表示される。
【００２６】
しかし、この「体重情報表示部１７」における「縦方向の光」と「横方向の光」は、体重測定を希望し、体重計測装置３上に乗っている対象者やその近傍に所在する他人等には、認識できない表示となる（潜在的表示情報の一例）。
したがって、上述のように、図２の体重計側ディスプレイ１０は、その表示画面を人が見ても、その表示内容を把握することができない構成となる。
【００２７】
一方、図１の体重計１には、体重を計測する対象者が装着する表示顕在化部である例えば、眼鏡２０を有している。図３は、眼鏡２０を示す概略図である。図３に示すように眼鏡２０には、表示顕在部であり偏光部である例えば、横方向偏光フィルタ２１が形成されている。
この横方向偏光フィルタ２１は、図２の「液晶横方向配置溝付きガラス基板１６」の横方向の溝に沿って配置された液晶分子を通過する光のみを透過し、その他の方向、例えば、図２の縦方向偏光フィルタ１２の縦方向に沿って配置される液晶分子を透過する光等は遮断する構成となっている。
すなわち、上述の例では、図２の画素１４ａ等のうち、数字の「１」以外の部分のトランジスタ１４ｂ等を介して通電させられた部分の光は遮断されることで、数字の「１」を示す部分のみの光が通過することになる。（表示顕在化情報の一例）
これにより、眼鏡２０を装着した対象者のみが図２の「液晶横方向配置溝付きガラス基板１６を通過して表示された体重情報を認識することができる。
【００２８】
このように本実施の形態では、図１の体重計１で体重を計測しようとする対象者が眼鏡２０を装着して、体重測定をし、「体重情報表示部１７」の表示を視認することで、自己の体重情報をその近傍等に居る他人に知られることなく、対象者のみが知ることができることになる。
【００２９】
（第２の実施の形態）
図４は、本発明の第２の実施の形態を示す概略図である。本実施の形態の多くの構成は上述の第１の実施の形態の構成と共通しているため、以下、第１の実施の形態と共通の構成は同一符号等を付して、その説明を省略し、相違点を中心に説明する。
図４示すように、体重計１００は、体重計側ディスプレイ１１０を有し、その対象者側に配置される体重情報表示部１１１には、計測された体重情報が、不可視光、例えば「赤外線」で表示される構成となっている。
赤外線は、人にとって、不可視光、すなわち、検知することができない光である。このため、図４の体重計側ディスプレイ１１０の体重情報表示部１１１に表示された対象者の体重情報は、その近傍等に居る他人等は認識することができない構成となっている。（潜在的表示情報の一例）
【００３０】
また、図４の体重計１００は、光に対し感度が良好なＣＣＤ（Ｃｈａｒｇｅ  Ｃｏｕｐｌｅｄ  Ｄｅｖｉｃｅ）カメラ３００（表示顕在化部の一例）を有している。
そして、このＣＣＤカメラ３００で、図４の体重情報表示部１１１の赤外線で表示された体重情報を撮像することで、ＣＣＤカメラ３００は、その体重情報を検知することができる。
また、ＣＣＤカメラ３００は、その検知した体重情報（例えば、「６５」）を図４のＣＣＤカメラ表示部３１０に表示する構成となっている。（表示顕在化情報の一例）
このＣＣＤカメラ表示部３１０は、体重計側ディスプレイ１１０と比較して、極めて小さい表示部となっており、体重を計測する対象者の顔の近傍に配置される。
したがって、体重を計測している対象者は、他人に知られることなく、自己の体重を認識することができる。
【符号の説明】
【００３１】
１、１００・・・体重計、２・・・スタンド、３・・・体重計測装置、１０、１１０・・・体重計側ディスプレイ、１１・・・バックライト、１２・・・縦方向偏光フィルタ、１３・・・液晶縦方向配置溝付きガラス基板、１４・・・画素等配置部、１５・・・液晶収容部、１６・・・液晶横方向配置溝付きガラス基板、１７、１１１・・・体重情報表示部、２０・・・眼鏡、２１・・・横方向偏光フィルタ、３００・・・ＣＣＤカメラ、３１０・・・ＣＣＤカメラ表示部
【図１】
2013156078.tif 000003
【図２】
2013156078.tif 000004
【図３】
2013156078.tif 000005
【図４】
2013156078.tif 000006